【手続補正書】
【提出日】平成24年4月19日(2012.4.19)
【手続補正１】
【補正対象書類名】特許請求の範囲
【補正対象項目名】全文
【補正方法】変更
【補正の内容】
【特許請求の範囲】
【請求項１】
被写体像を光電変換し、画像データを出力する撮像部と、
上記画像データに基づいて上記被写体像を表示する表示部と、
上記画像データに基づいて人物の顔に相当する部分を検出する顔検出部と、
上記顔検出部によって検出された顔部の特徴を抽出する顔特徴抽出部と、
上記顔特徴抽出部によって抽出された顔部に基づいて二人が写っている画像について、上記二人の写っている画像の過去の履歴を考慮して上記表示部に表示する表示内容を切り替える表示制御部と、
を有することを特徴とする撮影表示装置。
【請求項２】
上記表示制御部は、上記二人の表情、上記二人の間の距離、または上記二人を撮影した撮影頻度にしたがって上記表示内容を切り替えることを特徴とする請求項１に記載の撮影表示装置。
【請求項３】
上記表示内容は、上記二人の表情、上記二人の間の距離、または上記二人を撮影した撮影頻度に応じた記号であることを特徴とする請求項１に記載の撮影表示装置。
【請求項４】
上記表示内容は、上記二人の表情、上記二人の間の距離、または上記二人を撮影した撮影頻度によって親密度を判定し、この判定された親密度が低下した場合に、親密度が高いと判定された参考画像を表示することを特徴とする請求項１に記載の撮影表示装置。
【請求項５】
被写体像を光電変換し、画像データを出力する撮像部と、
上記画像データに基づいて被写体像を表示する表示部と、
上記画像データに基づいて人物の顔に相当する部分を検出する顔検出部と、
上記顔検出部によって検出された二人の人物の画像について、親密度を判定する親密度判定部と、
上記親密度判定部によって判定された上記親密度を、上記表示部に表示する表示制御部と、
を有することを特徴とする撮影表示装置。
【請求項６】
上記親密度判定部は、上記二人の間の距離、笑顔の状態、撮影枚数の少なくとも一つに基づいて判定することを特徴とする請求項５に記載の撮影表示装置。
【請求項７】
上記親密度判定部は、上記二人と同一人について、過去に撮影された画像を検索し、この画像の二人の親密度の変化を判定し、
上記表示制御部は、上記親密度判定部による判定結果に基づいて上記表示部での表示を変えることを特徴とする請求項５に記載の撮影表示装置。
【請求項８】
上記表示制御部は、上記親密度に応じた記号を上記表示部に表示することを特徴とする請求項５に記載の撮影表示装置。
【請求項９】
上記表示制御部は、上記親密度に応じて、過去の参考画像を表示することを特徴とする請求項５に記載の撮影表示装置。
【請求項１０】
被写体像を光電変換して画像データを出力し、
上記画像データに基づいて被写体像を表示し、
上記画像データに基づいて人物の顔に相当する部分を検出し、
上記検出された顔部の特徴を抽出し、
上記抽出された顔部の特徴に基づいて同一人物である二人の画像を抽出し、
上記抽出された二人の画像について、過去の履歴を考慮して表示内容を切り替える、
ことを特徴とする撮影表示方法。
【請求項１１】
被写体像を光電変換して画像データを出力し、
上記画像データに基づいて上記被写体像を表示部に表示し、
上記画像データに基づいて人物の顔に相当する部分を検出し、
上記検出された顔に基づいて二人が写っている場合に、上記二人の親密度を判定し、
上記判定された親密度を、上記表示部に表示する、
ことを特徴とする撮影表示方法。
【手続補正２】
【補正対象書類名】明細書
【補正対象項目名】０００７
【補正方法】変更
【補正の内容】
【０００７】
上記目的を達成するため第１の発明に係わる撮影表示装置は、被写体像を光電変換し、画像データを出力する撮像部と、上記画像データに基づいて上記被写体像を表示する表示部と、上記画像データに基づいて人物の顔に相当する部分を検出する顔検出部と、上記顔検出部によって検出された顔部の特徴を抽出する顔特徴抽出部と、上記顔特徴抽出部によって抽出された顔部に基づいて二人が写っている画像について、上記二人の写っている画像の過去の履歴を考慮して上記表示部に表示する表示内容を切り替える表示制御部と、を有する。
【手続補正３】
【補正対象書類名】明細書
【補正対象項目名】０００８
【補正方法】変更
【補正の内容】
【０００８】
第２の発明に係わる撮影表示装置は、上記第１の発明において、上記表示制御部は、上記二人の表情、上記二人の間の距離、または上記二人を撮影した撮影頻度にしたがって上記表示内容を切り替える。
第３の発明に係わる撮影表示装置は、上記第１の発明において、上記表示内容は、上記二人の表情、上記二人の間の距離、または上記二人を撮影した撮影頻度に応じた記号である。
第４の発明に係わる撮影表示装置は、上記第１の発明において、上記表示内容は、上記二人の表情、上記二人の間の距離、または上記二人を撮影した撮影頻度によって親密度を判定し、この判定された親密度が低下した場合に、親密度が高いと判定された参考画像を表示する。
【手続補正４】
【補正対象書類名】明細書
【補正対象項目名】０００９
【補正方法】変更
【補正の内容】
【０００９】
第５の発明に係わる撮影表示装置は、被写体像を光電変換し、画像データを出力する撮像部と、上記画像データに基づいて被写体像を表示する表示部と、上記画像データに基づいて人物の顔に相当する部分を検出する顔検出部と、上記顔検出部によって検出された二人の人物の画像について、親密度を判定する親密度判定部と、上記親密度判定部によって判定された上記親密度を、上記表示部に表示する表示制御部と、を有する。
【手続補正５】
【補正対象書類名】明細書
【補正対象項目名】００１０
【補正方法】変更
【補正の内容】
【００１０】
第６の発明に係わる撮影表示装置は、上記第５の発明において、上記親密度判定部は、上記二人の間の距離、笑顔の状態、撮影枚数の少なくとも一つに基づいて判定する。
第７の発明に係わる撮影表示装置は、上記第５の発明において、上記親密度判定部は、上記二人と同一人について、過去に撮影された画像を検索し、この画像の二人の親密度の変化を判定し、上記表示制御部は、上記親密度判定部による判定結果に基づいて上記表示部での表示を変える。
【手続補正６】
【補正対象書類名】明細書
【補正対象項目名】００１２
【補正方法】変更
【補正の内容】
【００１２】
第１０の発明に係わる撮影表示方法は、被写体像を光電変換して画像データを出力し、上記画像データに基づいて被写体像を表示し、上記画像データに基づいて人物の顔に相当する部分を検出し、上記検出された顔部の特徴を抽出し、上記抽出された顔部の特徴に基づいて同一人物である二人の画像を抽出し、上記抽出された二人の画像について、過去の履歴を考慮して表示内容を切り替える。
【手続補正７】
【補正対象書類名】明細書
【補正対象項目名】００１３
【補正方法】変更
【補正の内容】
【００１３】
第１１の発明に係わる撮影表示方法は、上記画像データに基づいて上記被写体像を表示部に表示し、上記画像データに基づいて人物の顔に相当する部分を検出し、上記検出された顔に基づいて二人が写っている場合に、上記二人の親密度を判定し、上記判定された親密度を、上記表示部に表示する。
【手続補正８】
【補正対象書類名】明細書
【補正対象項目名】００１９
【補正方法】変更
【補正の内容】
【００１９】
画像処理及び制御部１は、記憶されているプログラムに従ってカメラ１０の全体のシーケンスを制御する。また、撮像部２から出力される画像信号を取り込み、間引き処理、エッジ強調、色補正、画像圧縮等の種々の画像処理を行い、ライブビュー表示、記録部４への記録、表示部８での再生表示等の画像処理を行う。画像処理及び制御部１内には、顔特徴部１ｂ、顔位置・大きさ判定部１ｃ、画像検索部１ｄ、画像分類部１ｅ、親密度判定部１ｆ、親密度変化判定部１ｇ、および表示制御部８を含む。